(57)【要約】【課題】端子と電線が異なる材質であっても、適切なフラックス処理により強固な半田付けが可能な電線接続用の端子、電線接続構造、電線と端子の接続方法およびこの接続方法に用いられる加熱電極を提供する。【解決手段】滞留生成部７により、端子１の傾斜状態で電線５と電線接続部３間にフラックスＦを一時的に滞留させて、その逃げを一時的に抑止するので、この間フラックスＦにより電線５表面を活性化して酸化皮膜の生成を防止するので、強固に半田付けを行うことができる。これにより、低コストかつ簡単な構造で、適切なフラックス処理により半田不良を防止して、電線５と端子１の強固な半田付けが可能となる。【選択図】図２
2010182566.tif 000002
【特許請求の範囲】
【請求項１】
コネクタ部と電線が半田付けにより接続される電線接続部とを有する電線接続用の端子であって、
前記電線接続部は、端子の傾斜状態で半田付け用のフラックスを該電線接続部内部に一時的に滞留させる滞留生成部を備え、
前記滞留生成部は、前記電線の外面の少なくとも一部に対向する内面に設けられている、
電線接続用の端子。
【請求項２】
請求項１において、
前記滞留生成部は、長手方向に延びる前記電線の外周面の一部に対向する前記電線接続部の内面に形成され、その内方に突出して横方向に延びる少なくとも１つの凸壁からなる、電線接続用の端子。
【請求項３】
請求項１において、
前記滞留生成部は、前記電線の外周面の一部に対向する前記電線接続部の内面に形成された、少なくとも１つの電線の長手方向に延びる凹部からなる、電線接続用の端子。
【請求項４】
請求項１において、
前記滞留生成部は、前記電線の外周面の一部に対向する前記電線接続部の内面に形成された、複数の溝列からなる、電線接続用の端子。
【請求項５】
請求項１において、
前記滞留生成部は、前記電線の外周面の一部に対向する前記電線接続部の内周面に形成された、螺旋状の溝からなる、電線接続用の端子。
【請求項６】
コネクタ部と電線が半田付けにより接続される電線接続部とを有する電線接続用の端子であって、
前記電線接続部は、端子の傾斜状態で半田付け用のフラックスを該電線接続部内部に一時的に滞留させる滞留生成部を備え、
前記滞留生成部は、前記電線の外端面に対向する前記電線接続部のコネクタ部側の端部に形成された当該端部を覆う蓋部からなる、電線接続用の端子。
【請求項７】
請求項１から６のいずれか１項において、
前記端子は、電線と異なる材質の金属からなる、電線接続用の端子。
【請求項８】
請求項７において、
前記電線がアルミニウム、アルミニウム合金またはアルミニウム系複合材料からなり、および前記端子が銅、銅合金または銅系複合材料からなる、もしくは、前記電線が銅、銅合金または銅系複合材料からなり、および前記端子がアルミニウム、アルミニウム合金またはアルミニウム系複合材料からなる、電線接続用の端子。
【請求項９】
請求項１から８のいずれか１項に記載の端子と電線とを接続した電線接続構造であって、
前記電線が前記電線接続部に非かしめ状態で保持され、かつ半田付けされている、電線接続構造。
【請求項１０】
請求項１から８のいずれか１項に記載の端子に電線を接続する方法であって、
前記電線を前記電線接続部に非かしめ状態で保持し、前記電線接続部および端子を加熱状態で傾斜させて、その上端側からフラックスを投入して前記端子の電線接続部内部に一時的に滞留させ、この状態で端子に電線を半田付けする、
電線と端子の接続方法。
【請求項１１】
請求項１０に記載の電線と端子の接続方法に用いられる一対の加熱電極であって、
前記一対の加熱電極は、前記電線接続部および端子を加熱状態で傾斜させて保持するように、各先端部がそれぞれ傾斜されてなる、
電線と端子の接続方法に用いられる加熱電極。
【発明の詳細な説明】
【技術分野】
【０００１】
本発明は、電線接続用の端子、電線接続構造、電線と端子の接続方法およびこの接続方法に用いられる加熱電極に関するものである。
【背景技術】
【０００２】
従来、電線としては、銅または銅合金製のものが多く用いられている。その一方、アルミニウムまたはアルミニウム合金は電導性もよく、銅などに比べて軽量かつ安価であるので、電線にアルミニウムなどを用いることができれば利点が多い。
【０００３】
上記利点から、自動車全体を軽量化して燃費の向上を図るために、自動車のバッテリーケーブルやアースケーブルなどのワイヤハーネスに、また、装置の軽量化のために、電気自動車のバッテリーチャージャー、電力伝送装置、および大電力用のインバータなどに、アルミニウムやアルミニウム合金製の電線が採用されようとしている。この場合に、加熱電極（ヒュージング溶接電極や抵抗溶接電極など）で絶縁被覆された電線を挟んで加熱しながら加圧することにより、絶縁被覆を溶かして電線と端子を接合する端子構造が従来から知られている（例えば、特許文献１）。
【０００４】
しかし、電線にアルミニウムなどを用いた場合、これと異なる材質の銅や銅合金製の端子との接合が必要になるが、自動車のワイヤハーネスでは雨水等が介在すると電線と端子間で電触が生じて電線が腐食し、エンジン始動不能などのトラブルを誘起するおそれがある。また、電気自動車のバッテリーチャージャー、電力伝送装置や大電力用のインバータなどにおいても、電触に基づくトラブルを誘起するおそれがある。
【０００５】
このため、従来から、端子金具にアルミニウム線を圧着接続したあと圧着部全体をホットメルトモールディングする水密封止構造として、電触防止機能を向上させた圧着接続構造が知られている（例えば、特許文献２）。
【先行技術文献】
【特許文献】
【０００６】
【特許文献１】特開２０００−２７７３２５号公報
【特許文献２】特開２００６−２８６３８５号公報
【発明の概要】
【発明が解決しようとする課題】
【０００７】
しかし、従来のようにアルミニウムやアルミニウム合金製の電線を加圧および加熱する圧着接続により端子に接合すると、銅または銅合金製に比べて強度が低いため、電線が当該加圧により折れてしまう場合があるという問題があった。
【０００８】
また、アルミニウム等の半田付けにおいて電線を加熱する時に、フラックスで電線表面を活性化し酸化皮膜が生成されるのを防止して、半田付けすることになるが、フラックス処理が適切でない場合には、酸化皮膜により半田付けできず、半田不良を起こすおそれがある。
【０００９】
本発明は、端子と電線が異なる材質であっても、適切なフラックス処理により強固な半田付けが可能な電線接続用の端子、電線接続構造、電線と端子の接続方法およびこの接続方法に用いられる加熱電極を提供することを目的とする。
【課題を解決するための手段】
【００１０】
上記目的を達成するために、本発明の一構成に係る電線接続用の端子は、コネクタ部と電線が半田付けにより接続される電線接続部とを有するものであって、前記電線接続部は、端子の傾斜状態で半田付け用のフラックスを該電線接続部内部に一時的に滞留させる滞留生成部を備え、前記滞留生成部は、前記電線の外面の少なくとも一部に対向する内面に設けられている。
【００１１】
この構成によれば、滞留生成部により、端子の傾斜状態で電線と電線接続部間にフラックスを一時的に滞留させて、その逃げを一時的に抑止できるから、この間フラックスにより電線表面を活性化して酸化皮膜の生成を防止するので、強固に半田付けを行うことができる。これにより、低コストかつ簡単な構造で、適切なフラックス処理により半田不良を防止して、電線と端子の強固な半田付けが可能となる。
【００１２】
好ましくは、前記滞留生成部は、長手方向に延びる前記電線の外周面の一部に対向する前記電線接続部の内面に形成され、その内方に突出して横方向に延びる少なくとも１つの凸壁からなる。したがって、より低コストかつ簡単な構造で、半田不良を防止して、強固な半田付けが可能となる。また、この凸壁により電線接続部内で電線をよりしっかりと保持することができる。
【００１３】
好ましくは、前記滞留生成部は、前記電線の外周面の一部に対向する前記電線接続部の内面に形成された、少なくとも１つの長手方向に延びる凹部からなる。また、好ましくは、前記滞留生成部は、前記電線の外周面の一部に対向する前記電線接続部の内面に形成された、複数の溝列からなる。好ましくは、前記滞留生成部は、前記電線の外周面の一部に対向する前記電線接続部の内面に形成された螺旋状の溝からなる。したがって、より低コストかつ簡単な構造で、半田不良を防止して、強固な半田付けが可能となる。また、投入されたフラックスおよび半田が溝に沿ってスムーズに電線全体に行き渡るので、より確実なフラックス処理が可能となる。
【００１４】
本発明の他の構成に係る電線接続用の端子は、コネクタ部と電線が半田付けにより接続される電線接続部とを有するものであって、前記電線接続部は、端子の傾斜状態で半田付け用のフラックスを該電線接続部内部に一時的に滞留させる滞留生成部を備え、前記滞留生成部は、前記電線の外端面に対向する前記電線接続部のコネクタ部側の端部に形成された当該端部を覆う蓋部からなる。したがって、蓋部の滞留生成部により、端子の傾斜状態で電線と電線接続部間にフラックスを一時的に滞留させてその逃げを一時的に抑止し、強固に半田付けを行うことができるので、より低コストかつ簡単な構造で、半田不良を防止して、強固な半田付けが可能となる。
【００１５】
好ましくは、前記端子は電線と異なる材質の金属からなる。例えば、前記電線がアルミニウム、アルミニウム合金またはアルミニウム系複合材料からなり、および前記端子が銅、銅合金または銅系複合材料からなる、もしくは、前記電線が銅、銅合金または銅系複合材料からなり、および前記端子がアルミニウム、アルミニウム合金またはアルミニウム系複合材料からなる。したがって、異種金属であっても、電線と端子の強固な半田付けが可能となる。
【００１６】
本発明のまた他の構成に係る電線接続構造は、前記した端子と前記電線とを接続したものであって、前記電線が前記電線接続部に非かしめ状態で保持され、かつ半田付けされている。ここで、「非かしめ状態」とは、電線接続部を曲げて電線の外周面に軽く接触するか、僅かの隙間を存して接触しない程度の状態であって、電線の外周面を締め付ける状態でないことをいう。その結果、電線に横方向の圧縮力がほとんど付加されない。
【００１７】
この構成によれば、滞留生成部により、端子の傾斜状態で電線と電線接続部間にフラックスを一時的に滞留させて、その逃げを一時的に抑止するので、この間フラックスにより電線表面を活性化して酸化皮膜の生成を防止するので、強固に半田付けを行うことができる。これにより、低コストかつ簡単な構造で、適切なフラックス処理により半田不良を防止して、電線と端子の強固な半田付けが可能となる。また、電線接続部に非かしめ状態で保持された電線を加熱した状態で半田付けするので、電線が圧着されることなく端子に接合されるから、電線の折れも防止して適切な半田付けが可能となる。
【００１８】
本発明のさらに他の構成に係る電線と端子の接続方法は、前記した端子に電線を接続するものであって、前記傾斜状態の電線を前記電線接続部に非かしめ状態で保持し、前記電線接続部および端子を加熱状態で傾斜させて、その上端側からフラックスを投入して前記端子の電線接続部内部に一時的に滞留させ、この状態で端子に電線を半田付けする。
【００１９】
この構成によれば、端子の傾斜状態で電線と電線接続部間にフラックスを一時的に滞留させて、その逃げを一時的に抑止するので、この間フラックスにより電線表面を活性化して酸化皮膜の生成を防止するので、低コストかつ簡単な構造で、適切なフラックス処理により半田不良を防止して、強固な半田付けが可能な電線接続用の端子を製造することができる。また、電線接続部に非かしめ状態で保持された電線を加熱状態で半田付けするので、電線が圧着されることなく端子に接合されるから、電線の折れも防止して適切な半田付けが可能な電線接続用の端子を製造することができる。
【００２０】
前記電線と端子の接続方法に用いられる一対の加熱電極は、前記電線接続部および端子を加熱状態で傾斜させて保持するように、各先端部がそれぞれ傾斜されてなる。したがって、低コストかつ簡単な構造で、端子を傾斜状態に保持できる。
【図面の簡単な説明】
【００２１】
【図１】（Ａ）は本発明の第１実施形態にかかる電線接続用の端子を示す展開図、（Ｂ）はその電線接続用の端子を示す斜視図、（Ｃ）は完成した電線接続構造を示す斜視図である。
【図２】（Ａ）は図１の端子と電線の接合方法の構成を示す側面図、（Ｂ）はその一部断面図である。
【図３】（Ａ）は第２実施形態にかかる端子と電線の接合方法の構成を示す側面図、（Ｂ）は完成した電線接続構造を示す斜視図である。
【図４】（Ａ）は第３実施形態にかかる電線接続用の端子を示す展開図、（Ｂ）はその電線接続用の端子を示す斜視図、（Ｃ）は滞留生成部を示す断面図である。
【図５】第４実施形態にかかる電線接続用の端子を示す展開図である。
【図６】第５実施形態にかかる電線接続用の端子を示す斜視図である。
【図７】（Ａ）は第６実施形態にかかる電線接続用の端子を示す展開図、（Ｂ）はその電線接続用の端子を示す斜視図である。
【発明を実施するための形態】
【００２２】
以下、本発明の好ましい実施形態について図面を参照しながら説明する。図１（Ａ）は本発明の第１実施形態にかかる電線接続用の端子を示す展開図、（Ｂ）はその電線接続用の端子を示す斜視図、Ｃ）は完成した電線接続構造を示す斜視図である。図１（Ｂ）のように、端子１は、コネクタ部２および電線５を半田付けにより接続する電線接続部３を有し、電線５は、その端部５０が電線接続部３に保持された状態で端子１に接合される。コネクタ部２と電線接続部３は、電線５の端部５０の長手方向Ｘと合致した方向に沿って並んでいる。
【００２３】
図１（Ａ）のように、電線５は例えばアルミニウムまたはアルミニウム合金製の丸線の単線からなり、端子１は、これと異なる材質の例えば銅または黄銅のような銅合金の１枚の板材６からなり、電線接続部３は板材６の略矩形部分の両端側をＲ方向に曲げ加工して略円筒状に形成される。この場合、図１（Ｂ）に示す電線５は電線接続部３により非かしめ状態で保持される。すなわち、図１（Ａ）の電線５を電線接続部３における電線保持面（内面）３ａに導入し、板材６の略矩形部分の両端側を電線５の外形に沿ってゆるく曲げることにより、電線５は電線接続部３となる板材６により強固にかしめられて固定されるのではなく、電線接続部３内でがたつかない程度の非かしめ状態に保持される。この例では、電線５は丸線の単線からなるが、角線の単線でもよく、この場合、電線接続部３は略四角筒状に形成される。
【００２４】
前記電線接続部３は、電線５の外面（外周面）５ａの少なくとも一部に対向する内面に設けられ、端子１の傾斜状態で半田付け用のフラックスを電線接続部３内部に一時的に滞留させる滞留生成部７を備えている。
【００２５】
前記滞留生成部７は、図１（Ａ）（Ｂ）のように、電線５の外周面５ａの一部に対向する電線接続部３の内面３ａに形成され、その内方に突出して横方向Ｙに延びる少なくとも１つの凸壁７ａからなる。例えば、図１（Ａ）のように横方向Ｙに延びて形成された３つの凸壁７ａはＲ方向に曲げられて、図１（Ｂ）のように、電線５の長手方向Ｘから見て上下にそれぞれ半円周状に延びる２つの凸壁７ａ、７ａを形成し（半円バンプ構造）、かつ、各半円周状の凸壁７ａ、７ａは長手方向Ｘに所定間隔ずらして配置される。
【００２６】
この凸壁７ａは、板材６を例えばプレス加工することにより形成される。この場合、電線接続部３の外面３ｂ側から内面３ａ側へプレス加工するとき、電線接続部３の内面３ａに半円周状の凸壁７ａが形成されるのに伴って、その外面３ｂに半円周状の凹部７ｂが形成される。
【００２７】
電線接続部３における各凸壁７ａ、７ａの長手方向位置は、フラックスの一時的滞留を効果的にするために、電線接続部３の長さをＬとしたとき、コネクタ部２側の先端部からＬ／３〜Ｌの範囲内が好ましく、特にＬ／２〜Ｌの範囲内が好ましい。また、凸壁７ａの突起高さは板厚をｔとしたとき、ｔ／５〜ｔ／７の範囲内が好ましい。
【００２８】
なお、滞留生成部７として、２つの半円周状の凸壁７ａ、７ａに代えて、１つの円周状の凸壁とし、該凸壁に所定間隔で複数の貫通部を設けるようにしてもよい。
【００２９】
図２（Ａ）は図１の端子と電線の接合方法の構成を示す側面図、（Ｂ）はその一部断面図である。本接合方法は、例えば自動車のワイヤハーネス用の電線に適用される。図２（Ａ）のように、この例では、上下方向Ｚにそれぞれ移動自在な一対の加熱電極であるヒュージング溶接電極８、８とこれに通電する通電制御部１３とが設けられており、両電極８、８の先端部がそれぞれ斜めにカット加工等により水平面に対して例えば１５〜３０°に傾斜されてなり、その間に端子１はコネクタ部２が上側に位置する前記水平面に対して傾斜した状態で電線接続部３が加圧されることなく挟まれて保持される。この非加圧状態にある端子１では、電線５が前記したように電線接続部３に非かしめ状態で保持されているから、電線接続部３が両電極８、８により非加圧状態で保持されて、つまり電線５が両電極８、８により上下方向の圧縮力を受けることなく保持されて、通電制御部１３により通電して加熱される。
【００３０】
図２（Ａ）のように、フラックスＦは、電線５のコネクタ部２側の上側の端部（図では右上側）から、図２（Ｂ）に示す電線５の外周面５ａと電線接続部３の内面３ａ間の間隙部１５を通って電線５に投入される。投入されたフラックスＦは凸壁７ａ（滞留生成部）の手前（図では右側）の溜まり部１６に一時的に滞留する。その後に半田Ｓが同様に投入されて、電線５が端子１の電線接続部３に半田付けされ、図２（Ｃ）に示す電線接続構造Ａが得られる。なお、フラックスＦおよび半田Ｓを投入するために、電線接続部３におけるコネクタ部２側の端部近傍にその周壁を貫通する投入用孔を別に設けてもよい。
【００３１】
（実施例）
電線５は例えばアルミニウム製の単線、端子１は黄銅製のものが使用される。図２（Ａ）のように、電線接続部３に非かしめ状態で保持された電線５が傾斜した状態で、一対のヒュージング溶接電極８、８により非加圧状態で保持される。例えばヒュージング溶接電極８、８に接触する電線５が３００〜６５０℃の温度範囲に加熱されるように、通電制御部１３で通電電流が設定されて、１〜１．５秒通電される。この加熱状態で、電線５の上側の端部から、電線５の外周面５ａと電線接続部３の内面３ａ間の間隙部１５を介して電線５へフラックスＦが投入される。フラックスＦは間隙部１５内を流れるが、滞留生成部７の手前の溜まり部１６で一時的に滞留するので、その逃げが一時的に抑止されるから、この間にフラックスＦにより電線５のアルミニウム表面が十分に活性化して酸化皮膜の生成を防止する。フラックスＦ投入の０．５〜１秒後に半田Ｓが間隙部１５を介して電線５へ投入されて、電線５表面が半田付け可能状態で、電線５が端子１の電線接続部３に強固に半田付けされる。
【００３２】
ところで、滞留生成部として、２つの半円周状の凸壁７ａ、７ａが互いに長手方向Ｘにずれていることにより、フラックスＦの溜まり部１６が１箇所に集中することなく分散するので、過度の圧迫による電線５の断線を防止することができる。また、この凸壁７ａにより、電線接続部３内で電線５を非かしめ状態でかつしっかりと固定することができる。さらに、電線接続部３の外面３ｂに形成された凹部７ｂにより、両電極８、８で加熱する電線接続部３の長手方向Ｘの位置を確認することができる。最も両電極８、８の加熱状態が良好な位置で端子１の半田付けを行うことができる。
【００３３】
このように、本発明は、滞留生成部７により、端子１の傾斜状態で電線５と電線接続部３間にフラックスＦを一時的に滞留させて、その逃げを一時的に抑止するので、この間フラックスＦにより電線５表面を活性化して酸化皮膜の生成を防止するので、強固に半田付けを行うことができる。これにより、低コストかつ簡単な構造で、適切なフラックス処理により半田不良を防止して、電線５と端子１の強固な半田付けが可能となる。
【００３４】
また、電線接続部３に非かしめ状態で保持された電線５を例えばヒュージング溶接電極のような加熱電極８、８間で非加圧状態で加熱した状態で半田付けするので、電線５が圧着されることなく端子１に接合されるから、アルミニウム製のように折れやすい電線５の折れを防止して適切な半田付けが可能となる。しかも、加熱電極８、８は、電線接続部３および端子１を加熱状態で傾斜させて保持するように、各先端部がそれぞれ傾斜されてなるので、低コストかつ簡単な構造で、端子１を傾斜状態に保持できる。
【００３５】
図３（Ａ）は第２実施形態にかかる端子と電線の接合方法の構成を示す側面図、（Ｂ）は完成した電線接続構造Ａ１を示す斜視図である。図３（Ａ）（Ｂ）のように、第２実施形態の滞留生成部７は、電線５の外端面に対向する電線接続部３内のコネクタ部２側の端部に形成されて、当該端部を覆う蓋部７Ａからなる。また、端子１は、第１実施形態とは逆に、コネクタ部２が下側に位置して傾斜した状態で電線接続部３が両電極８、８に保持されている。蓋部７Ａには、半田付けに際して発生するガスを抜くために、蓋部７Ａを貫通するガス抜き孔１０が設けられている。フラックスＦおよび半田Ｓの投入用孔９、９が電線接続部３におけるコネクタ部２の反対側の上側の端部（図では右上側）に設けられており、フラックスＦは投入用孔９、９から前記電線５と電線接続部３間の間隙部１５内（図２（Ｂ））を通って電線５に投入される。蓋部７Ａ（滞留生成部）は、蓋部７Ａの手前（図３では右側）で、端子１の傾斜状態で電線５と電線接続部３間にフラックスＦを一時的に滞留させる。その他の構成は第１実施形態と同様である。これにより、第１実施形態と同様に、フラックスＦの逃げを一時的に抑止するので、この間フラックスＦにより電線５表面を活性化して酸化皮膜の生成を防止することができる。
【００３６】
第２実施形態は、蓋部７Ａ（滞留生成部）により、より低コストかつ簡単な構造で、適切なフラックス処理により半田不良を防止して、強固な半田付けが可能となる。なお、この例では、滞留生成部として蓋部７Ａのみを設けているが、この蓋部７Ａと第１実施形態における凸壁７の両方を設けてもよい。
【００３７】
図４（Ａ）は第３実施形態にかかる電線接続用の端子を示す展開図、（Ｂ）はその電線接続用の端子を示す斜視図、（Ｃ）は滞留生成部７Ｂの一変形例を示す側面図である。図４（Ａ）（Ｂ）のように、第３実施形態の滞留生成部は、第１実施形態と異なり、電線５の外周面５ａの一部に対向する電線接続部３の内周面３ａに形成された、少なくとも１つの凹部７Ｂからなる。この凹部７Ｂは例えばプレス加工により長手方向Ｘに沿って延びるように形成される。また、凹部７Ｂの先端部には細い凹部からなるフラックスＦおよび半田Ｓの導入部１４が設けられている。凹部７Ｂは、該凹部７Ｂ内において、端子１の傾斜状態で電線５と電線接続部３間にフラックスＦを一時的に滞留させる。その他の構成は第１実施形態と同様である。これにより、第１実施形態と同様に、フラックスＦの逃げを一時的に抑止するので、この間フラックスＦにより電線５表面を活性化して酸化皮膜の生成を防止することができる。
【００３８】
なお、図４（Ａ）のように、凹部７Ｂの両側（長手方向Ｘと直交する方向に離間した）にさらに凹部１１、１１（破線部）を別に設けてもよい。各凹部１１、１１により板材６の折り曲げ部分の厚みを薄くすることにより、折り曲げ時に電線５への圧力を可及的に低くして、より非かしめ状態とすることができる。この凹部１１、１１を前記第１、２実施形態においても設けることができる。また、図４(Ｃ)のように、凹部７Ｂの底部を投入されたフラックスＦが投入方向（矢印）へより流れやすいように傾斜部１２を設けるようにしてもよい。この場合、端子１を電極間に水平状態に保持することができる。
【００３９】
第３実施形態では、凹部７Ｂ（滞留生成部）により、より低コストかつ簡単な構造で、適切なフラックス処理により半田不良を防止して、強固な半田付けが可能となる。
【００４０】
図５は第４実施形態にかかる電線接続用の端子を示す展開図である。図５のように、第４実施形態の滞留生成部は、第３実施形態と異なり、電線５の外周面の一部に対向する電線接続部３の内面３ａに形成された、複数の溝列、例えば格子状の溝７Ｃにより形成されている。格子状の溝７Ｃ（滞留生成部）は、溝７Ｃ内において、端子１の傾斜状態で電線５と電線接続部３間にフラックスＦを一時的に滞留させる。その他の構成は第１実施形態と同様である。これにより、第１実施形態と同様に、フラックスＦの逃げを一時的に抑止するので、この間フラックスＦにより電線５表面を活性化して酸化皮膜が生成されるのを防止することができる。なお、溝７Ｃを格子状に並べた溝列に代えて、複数の溝を平行線状に並べた溝列としてもよい。
【００４１】
図６は第５実施形態にかかる電線接続用の端子を示す斜視図である。図６のように、第５実施形態の滞留生成部は、第３実施形態と異なり、電線５の外周面の一部に対向する電線接続部３の内周面に形成された、螺旋状の溝（例えば雌ねじ）７Ｄからなる。螺旋状の溝７Ｄ（滞留生成部）は、溝７Ｄ内において、端子１の傾斜状態で電線５と電線接続部３間にフラックスＦを一時的に滞留させる。その他の構成は第１実施形態と同様である。これにより、第１実施形態と同様に、フラックスＦの逃げを一時的に抑止するので、この間フラックスＦにより電線５表面を活性化して酸化皮膜が生成されるのを防止することができる。
【００４２】
第４実施形態および第５実施形態では、格子状の溝７Ｃおよび螺旋状の溝７Ｄ（滞留生成部）により同様に、より低コストかつ簡単な構造で、適切なフラックス処理により半田不良を防止して、強固な半田付けが可能となる。また、投入されたフラックスＦがそれぞれの溝に沿ってスムーズに電線５全体に行き渡るので、より確実なフラックス処理が可能となる。
【００４３】
図７（Ａ）は第６実施形態にかかる電線接続用の端子を示す展開図、（Ｂ）はその電線接続用の端子を示す斜視図である。第６実施形態は、第１実施形態では電線が単線であるのと異なり、例えば多数の丸線の束からなる複数線５Ａである。また多数の丸線の束に代えて、角線の束、撚り線の束およびアルミ箔被覆線の束などとしてもよい。その他の構成は第１実施形態と同様である。
【００４４】
多数の丸線の束からなる電線５Ａが、第１実施形態と同様に、両電極８、８により無応力下で保持され加熱される。この状態で、フラックスＦが投入されることにより、各丸線のアルミニウム表面が活性化して酸化皮膜の生成が防止され、その直後に半田Ｓが投入されることによって、各丸線間の毛細管現象により、半田Ｓが各丸線の束の中心まで瞬時に入る。このため、電線５Ａの丸線束の表面だけでなく各丸線の内部まで半田付けされるので、強固な半田付けが可能となる。
【００４５】
また、複数線の電線５Ａは第１実施形態だけでなく、第２〜５実施形態にも適用することができる。この場合、例えば第３実施形態では、滞留生成部が長手方向Ｘに沿って延びる凹部７Ｂであるが、丸線束の各丸線の落ち込みを防止するために、凹部７Ｂを長手方向Ｘに対して斜め（同一平面上で）になるように配置してもよい。第４実施形態では、滞留生成部が格子状の溝７Ｃであるので、丸線束の各丸線の落ち込みをより効果的に防止できる。
【００４６】
なお、上記各実施形態では、電線接続用の端子を自動車のワイヤハーネス用の電線に適用しているが、電気自動車のバッテリーチャージャー、電力伝送装置や大電力用のインバータなどの電線に適用してもよい。
【００４７】
なお、上記各実施形態では、加熱電極として、ヒュージング溶接電極で電線を加熱しているが、抵抗溶接電極で加熱してもよい。
【符号の説明】
【００４８】
１：電線接続用の端子
２：コネクタ部
３：電線接続部
５：電線
６：板材
７：滞留生成部
８：加熱電極
１３：通電制御部
Ａ：電線接続構造
Ｓ：半田
Ｆ：フラックス
【図１】
2010182566.tif 000003
【図２】
2010182566.tif 000004
【図３】
2010182566.tif 000005
【図４】
2010182566.tif 000006
【図５】
2010182566.tif 000007
【図６】
2010182566.tif 000008
【図７】
2010182566.tif 000009